(57)【特許請求の範囲】
【請求項１】
長手方向端面の上部および下部に貨物投入口および貨物排出口を有する略直方体形状の箱形のコンテナ本体と、このコンテナ本体に内蔵され貨物を充填するための袋体とを備えた輸送コンテナにおいて、
前記コンテナ本体の長手方向に沿った側面には積み卸し口が設けられ、この積み卸し口には扉が開閉可能に設けられているとともに、その扉が開放されたときに前記袋体が積み卸し口から外へ膨出するのを規制する規制部材が着脱可能に設けられ、
前記規制部材は、前記積み卸し口において、前記コンテナ本体の天井面と床面との間に着脱可能に装着された帯状のベルトによって構成され、
前記ベルトは、長さ調整可能で、かつ、上下端が前記コンテナ本体の天井面と床面とにフックを介して着脱可能に装着され、
前記コンテナ本体の天井面と床面とには、前記フックを係止可能な係止リングが設けられ、
前記袋体は、前記貨物投入口に接続される充填口と、前記貨物排出口に接続される吐出口と、この吐出口と前記袋体の一方の長手方向端面との接続下縁から前記コンテナ本体の外部に延出される袴部とを備え、全体の形状が前記コンテナ本体の内面に沿う略直方体形状に形成された袋体であって、
前記吐出口が閉じられ、かつ、折り畳まれた状態において、前記吐出口を上側から覆う蓋部を備え、この蓋部は一端縁が前記袋体の長手方向端面において前記吐出口の下部に設けられ、他端縁が袋体の長手方向端面において吐出口より上部に係脱可能に係合され、
前記吐出口から前記貨物を吐出する状態において、前記蓋部が貨物排出用アタッチメントの排出口に収納され、かつ、前記蓋部の前記一端縁の下側に前記袴部の一端が一体に延出され、前記袴部の他端が前記貨物排出用アタッチメントの排出口から外に出しておく
ことを特徴とする輸送コンテナ。
【請求項２】
請求項１に記載した輸送コンテナにおいて、
前記コンテナ本体には、その長手方向端面の上部および下部に貨物投入口および貨物排出口がそれぞれ設けられていることを特徴とする輸送コンテナ。
【請求項３】
請求項１または請求項２に記載した輸送コンテナにおいて、
前記積み卸し口は前記コンテナ本体の側面の略全面に亘って設けられていることを特徴とする輸送コンテナ。
【請求項４】
請求項３に記載した輸送コンテナにおいて、
前記規制部材は、前記積み卸し口において、前記コンテナ本体の天井面と床面との間にかつコンテナ本体の長手方向に間隔を隔てて複数本設けられていることを特徴とする輸送コンテナ。
【発明の詳細な説明】
【０００１】
【発明の属する技術分野】
本発明は、輸送コンテナに関する。詳しくは、樹脂ペレット等のバルク荷、飼料等の粉粒体等の貨物の輸送に用いる輸送コンテナに関する。
【０００２】
【背景技術】
従来より、貨物を効率よく輸送するために輸送コンテナが用いられている。輸送コンテナは、通常、略直方体の箱状に形成され、その長手方向端面に貨物の積み卸しをするための積み卸し口を備えている。
このようなコンテナを用いて樹脂ペレット等のバルク荷や粉粒体等の貨物を輸送する場合には、コンテナ内に直方体形状の袋体を収納し、この袋体に貨物を充填して輸送している。
【０００３】
袋体への貨物の充填は、通常、積み卸し口の扉を開放した状態で行われていた。具体的には、コンテナ内に懸吊した袋体を膨らませて、その形状を緊縮手段等によりコンテナに対応した形状に保持しながら、袋体の頂面の積み卸し口側の端部に設けた投入口から粉粒体等を注入していた。また、荷卸しの際には、積み卸し口の扉を開放して、伸長度規制手段等により袋体の姿勢を保持しながら袋体の端部を積み卸し口から引き出し、袋体の底面に設けた排出口から粉粒体等を排出していた（特開昭６３−２９４３８７号公報）。
【０００４】
しかし、上述した方法では、積み卸し口の扉を開放した状態で貨物の投入および排出を行うので、積み卸し口から荷崩れが生じるのを防ぐために緊結手段や伸長度規制手段等を設けて袋体の形状を保持しなければならないため、輸送コンテナの構造が複雑になるという問題があった。
また、従来のコンテナでは、その長手方向端面に積み卸し口が設けられているため、定形性を有する貨物、例えば各種荷姿のバラ荷等を積み卸す場合に、コンテナ内の奥の部分、つまり積み卸し口と反対側の部分への貨物の積み卸しに手間がかかっていた。
【０００５】
そこで、本出願人は、先に、これらの課題を解消した輸送コンテナを提案した（特開平１０−１９１５８３号公報）。
これは、略直方体形状の箱形のコンテナ本体と、このコンテナ本体の長手方向端面の上部に設けられた貨物投入口と、前記コンテナ本体の長手方向端面の下部に設けられた貨物排出口と、前記コンテナ本体の長手方向に沿った側面の略全面に亘って設けられた積み卸し口と、前記コンテナ本体に内蔵され貨物を充填するための袋体とを備えた構造である。
【０００６】
これによれば、次の作用効果が期待できる。
（１）コンテナ本体の長手方向端面の上部に貨物投入口が設けられているので、樹脂ペレット等のバルク荷、飼料等の粉粒体等、各種の定形性を有しない貨物を積み込む場合には、貨物をこの貨物投入口から投入すれば、積み卸し口を閉塞したままでもコンテナ本体の上部まで貨物を充填できる。
また、コンテナ本体の長手方向端面の下部に貨物排出口が設けられているので、この貨物排出口から貨物を排出すれば、積み卸し口を閉塞したままでもコンテナ本体内部の貨物を排出できる。このように積み卸し口を閉塞した状態で貨物の投入および排出を行えるため、投入および排出の際に荷崩れが生じることがなくなる。従って、荷崩れを防止するための従来の緊結手段等を省略できるから、輸送コンテナの構造を簡略化できる。
【０００７】
（２）コンテナ本体の側面に積み卸し口が設けられているので、この積み卸し口からバラ荷等の定形性を有する貨物を積み卸しできるから、定形性を有する貨物を積載するコンテナにも兼用できる。
さらに、積み卸し口はコンテナ本体の長手方向に沿った側面に設けられているので、貨物の積み卸しにあたっても、貨物を積み卸し口からコンテナ本体内の所定位置まで移動させる際の貨物の移動距離を短くできるから、コンテナ本体内の如何なる部分に対しても貨物を容易に積み卸しできる。
【０００８】
（３）コンテナ本体内には、貨物を充填するための袋体が内蔵されているから、樹脂ペレット等のバルク荷や粉粒体等の貨物によるコンテナ本体内部の汚染を防止できるので、コンテナ本体の洗浄の手間を簡略化できる。また、種類の異なる貨物を充填する場合には袋体を取り替えるだけでよいから、貨物の切り替えを簡単かつ低コストに行える。
【０００９】
（４）袋体は、コンテナ本体の内面に沿う略直方体形状に形成されるとともに、貨物投入口からコンテナ本体の外部に突出可能な充填口および貨物排出口からコンテナ本体の外部に突出可能な吐出口を備え、充填口は、袋体の長手方向端面の上部に突出して設けられ、吐出口は、袋体の長手方向端面に突出して設けられ、かつその底面が袋体の底面と面一に形成されているから、つまり、コンテナ本体の外部に突出可能な充填口および吐出口を有して袋体を構成することで、貨物投入口からの貨物の投入および貨物排出口からの貨物の排出を円滑に行えるうえに、コンテナ本体と袋体との間に貨物が漏れるのを防止できる。
また、吐出口の底面を袋体の底面と面一にすることで、コンテナ本体を傾けて貨物を排出するときに、袋体の底面上に堆積した貨物を吐出口から効率よく排出できるうえに、吐出口の底面と袋体の底面との境界部分に貨物が溜まることがないから袋体内部に残留する貨物を低減できる。
【００１０】
【発明が解決しようとする課題】
ところで、上述した輸送コンテナの場合、コンテナ本体に内蔵された袋体に樹脂ペレット等のバルク荷や粉粒体等の貨物を充填した後、輸送或いは保管するが、その輸送或いは保管時において、貨物の点検等のために、積み卸し口の扉を開く必要がある。
このような場合、コンテナ本体の長手方向に沿って設けられた積み卸し口の扉をあけると、今まで扉で規制されていた袋体が積み卸し口から外側へ膨出し、荷崩れを起こしたり、時として、袋体の破損を招く場合があった。
【００１１】
本発明の目的は、袋体に樹脂ペレット等のバルク荷や粉粒体等の貨物が充填された状態において、積み卸し口の扉をあけても、袋体が積み卸し口から外側へ膨出するのを規制して荷崩れを防止できるとともに、袋体の破損を回避できる輸送コンテナを提供することにある。
【００１２】
【課題を解決するための手段】
本発明の輸送コンテナは、上記目的を達成するために、次の構成を採用する。請求項１に記載の輸送コンテナは、長手方向端面の上部および下部に貨物投入口および貨物排出口を有する略直方体形状の箱形のコンテナ本体と、このコンテナ本体に内蔵され貨物を充填するための袋体とを備えた輸送コンテナにおいて、前記コンテナ本体の長手方向に沿った側面には積み卸し口が設けられ、この積み卸し口には扉が開閉可能に設けられているとともに、その扉が開放されたときに前記袋体が積み卸し口から外へ膨出するのを規制する規制部材が着脱可能に設けられ、前記規制部材は、前記積み卸し口において、前記コンテナ本体の天井面と床面との間に着脱可能に装着された帯状のベルトによって構成され、前記ベルトは、長さ調整可能で、かつ、上下端が前記コンテナ本体の天井面と床面とにフックを介して着脱可能に装着され、前記コンテナ本体の天井面と床面とには、前記フックを係止可能な係止リングが設けられ、前記袋体は、前記貨物投入口に接続される充填口と、前記貨物排出口に接続される吐出口と、この吐出口と前記袋体の一方の長手方向端面との接続下縁から前記コンテナ本体の外部に延出される袴部とを備え、全体の形状が前記コンテナ本体の内面に沿う略直方体形状に形成された袋体であって、前記吐出口が閉じられ、かつ、折り畳まれた状態において、前記吐出口を上側から覆う蓋部を備え、この蓋部は一端縁が前記袋体の長手方向端面において前記吐出口の下部に設けられ、他端縁が袋体の長手方向端面において吐出口より上部に係脱可能に係合され、前記吐出口から前記貨物を吐出する状態において、前記蓋部が貨物排出用アタッチメントの排出口に収納され、かつ、前記蓋部の前記一端縁の下側に前記袴部の一端が一体に延出され、前記袴部の他端が前記貨物排出用アタッチメントの排出口から外に出しておくことを特徴とする。
【００１３】
この輸送コンテナによれば、上記（２）および（３）の作用効果に加え、次の作用効果を奏することができる。すなわち、積み卸し口には扉が開閉可能に設けられているとともに、袋体が積み卸し口から膨出するのを規制する規制部材が着脱可能に設けられているから、規制部材をコンテナ本体から取り外しておけば、貨物の積み込み時の支障となることがなく、貨物の積み込み後に規制部材をコンテナ本体に装着しておけば、輸送コンテナを搬送後に積み卸し口の扉をあけても、袋体が積み卸し口から外側へ膨出するのを規制部材によって規制できるから、荷崩れを防止できるとともに、袋体の破損も回避できる。
また、この規制部材は、積み卸し口において、コンテナ本体の天井面と床面との間に着脱可能に装着された帯状のベルトによって構成されているので、比較的安価に構成できるとともに、袋体とは帯状の面で接するから、袋体に傷をつけることが少ない。
さらに、このベルトは、長さ調整可能で、かつ、上下端がコンテナ本体の天井面と床面とにフックを介して着脱可能に装着されているので、ベルトの緊張度合いを調整できるとともに、ベルトの装着、取り外しをワンタッチで簡易に行うことができるから、コンテナへの荷積み作業や荷下ろし作業を迅速に行うことができる。
【００１４】
請求項２に記載の輸送コンテナは、請求項１に記載した輸送コンテナにおいて、前記コンテナ本体には、その長手方向端面の上部および下部に貨物投入口および貨物排出口がそれぞれ設けられていることを特徴とする。
この輸送コンテナによれば、上記（１）の作用効果を奏することができる。
【００１５】
請求項３に記載の輸送コンテナは、請求項１または請求項２に記載した輸送コンテナにおいて、前記積み卸し口は前記コンテナ本体の側面の略全面に亘って設けられていることを特徴とする。
ここで、積み卸し口は、一つをコンテナ本体の側面の略全面に亘る大きさに形成してもよく、複数をコンテナ本体の側面の略全面に並設してもよい。
このようにすると、貨物のコンテナ本体内での移動距離を一層短くできるので、貨物の積み卸し作業を一層容易化できる。また、積み卸し口を大きく形成した場合には、形状の複雑な貨物や大型の貨物でも簡単に積み卸しできるうえに、フォークリフトによる荷役を容易化できる。
【００１６】
請求項４に記載の輸送コンテナは、請求項３に記載した輸送コンテナにおいて、前記規制部材は、前記積み卸し口において、前記コンテナ本体の天井面と床面との間にかつコンテナ本体の長手方向に間隔を隔てて複数本設けられていることを特徴とする。
通常、袋体の内部に樹脂ペレット等のバルク荷や粉粒体等の貨物を充填すると、袋体の上部が崩れやすいが、コンテナ本体の天井面と床面との間に規制部材が跨って設けられているから、この荷崩れを効果的に規制できる。しかも、規制部材は、コンテナ本体の長手方向に間隔を隔てて複数本設けられているから、規制部材の間隔を調整することにより、規制部材間の間からの膨出も効果的に規制できる。
【００１９】
【発明の実施の形態】
以下、本発明の一実施形態を図面に基づいて説明する。
図１および図２には、本実施形態の輸送コンテナ１が示されている。輸送コンテナ１は、炭素鋼からなる略直方体形状の箱形のコンテナ本体１０と、このコンテナ本体１０の一方の長手方向端面の上部および下部に設けられた貨物投入口１１および貨物排出口１２と、コンテナ本体１０の長手方向に沿った側面に設けられた一対の積み卸し口１３，１４と、コンテナ本体１０に着脱自在に内蔵され樹脂ペレット等のバルク荷、飼料および穀粉等の粉粒体等の貨物を充填するための袋体１５（図１では図示省略）とを備えている。
【００２０】
貨物投入口１１および貨物排出口１２にはそれぞれ扉２１，２２が取り付けられ、これらの貨物投入口１１および貨物排出口１２を開閉できるようになっている。
貨物投入口１１の頂面１１Ａは、コンテナ本体１０の天井面１０Ａと面一になるように形成され、貨物排出口１２の底面１２Ｂは、コンテナ本体１０の床面１０Ｂと面一に形成されている。
積み卸し口１３，１４はコンテナ本体１０の側面の略全面に亘って形成され、これらの積み卸し口１３，１４を開閉するために、各一組の観音開き式の扉２３，２４，２５，２６が取り付けられている。これらの扉２３〜２６にはそれぞれ扉２３〜２６の回動を規制するためのかんぬき２７が着脱自在に装着され、閉塞状態を維持できるようになっている。
【００２１】
積み卸し口１３，１４において、前記コンテナ本体１０の天井面１０Ａと床面１０Ｂとの間には、規制部材としての帯状のベルト５１が着脱可能に装着されている。つまり、ベルト５１がコンテナ本体１０の長手方向に間隔を隔てて２本設けられている。
ベルト５１は、１本の帯状部材５２をバックル５３によって長さ調整可能に構成したもので、上下端にはコンテナ本体１０の天井面１０Ａと床面１０Ｂとに設けられた係止リング５５に係脱可能なフック５４を備えている。
【００２２】
また、コンテナ本体１０の内部には、前述した袋体１５を係止するための複数のフック２８が取り付けられている。これらのフック２８は、コンテナ本体１０の各上角隅部と、コンテナ本体１０の貨物排出口１２とは反対側の二つの下角隅部と、これらの下角隅部の間の隅部と、コンテナ本体１０の床面１０Ｂと、貨物投入口１１の頂面１１Ａと、貨物排出口１２の各角隅部とに取り付けられ、これらのフック２８に袋体１５の各部を係止することにより、袋体１５のずれを防止できるようになっている。
【００２３】
袋体１５は、図３に示すように、定形性を備えていない貨物、例えば、樹脂ペレット等のバルク荷、飼料および穀粉等の粉粒体等を充填するためのものであり、ポリエチレン等の樹脂を筒状に成形して両端部をそれぞれ接着等により塞いだ構造を備えている。なお、袋体１５は布により形成してもよい。
この袋体１５は、コンテナ本体１０の内面に沿う略直方体形状に形成され、貨物投入口１１に接続される充填口１６と、貨物排出口１２に接続される吐出口１７とを有して構成されている。
【００２４】
充填口１６は、袋体１５の一方の長手方向端面の上部に突設された円筒状の充填部１８からなり、この充填部１８はコンテナ本体１０の貨物投入口１１に挿通される。充填部１８の中間部分には充填口１６を開閉するための開閉紐４１が取り付けられている。
吐出口１７は、袋体１５の一方の長手方向端面の下部に突設されて貨物排出口１２に挿通される吐出部１９からなる。この吐出部１９は断面半円形の筒状に形成され、面状に形成された吐出部１９の底部、つまり吐出口１７の底面１７Ｂが袋体１５の底面１５Ｂと面一になるように取り付けられている。吐出部１９の中間部分には、吐出口１７を開閉するための開閉紐４２が取り付けられている。
【００２５】
吐出部１９と袋体１５の一方の長手方向端面との接続部下縁から、略矩形状の蓋部６１および袴部６４が一体的に延出されている。
蓋部６１は、吐出口１７が開閉紐４２によって閉じられ、かつ、折り畳まれた状態において、それを上から覆うためのもので、先端縁に沿ってワンタッチで係脱する一方の係脱部材６２が取り付けられている。これと対をなす他方の係脱部材６３が袋体１５の対応する長手方向端面に設けられている。
袴部６４は、コンテナ本体１０を傾けて荷卸する際、コンテナ本体１０の床面１０Ｂにある塵やゴミが荷と一緒に排出されるのを防ぐためのもので、蓋部６１と略同じ幅で、長さが短い矩形状に形成されている。
【００２６】
袋体１５の一方の長手方向端面には、吐出部１９を囲むように補強材としての補強シート４３が外側から取り付けられ、袋体１５の他方の長手方向端面には、袋体１５の下角隅部を含む隅部に跨る補強材である補強シート４４および帯状補強材４５が外側から取り付けられている。また、袋体１５の底面全体にも補強シート４６が取り付けられている。これらの補強シート４３，４４および帯状補強材４５，４６により、貨物の荷重による袋体１５の伸びや破損を防止できるようになっている。
【００２７】
このような袋体１５の外表面には、コンテナ本体１０内部のフック２８に対応した位置に係止ロープ４７が取り付けられている。この係止ロープ４７をフック２８に係止して袋体１５の各部をコンテナ本体１０内の各部に固定することにより、袋体１５を正しい姿勢で保持できるようになっている。
【００２８】
このように構成された本実施形態においては、次のような手順で各種貨物の積み卸しを行う。
貨物を輸送コンテナ１に積み込む場合、予め袋体１５をコンテナ本体１０内に取り付けておく。すなわち、積み卸し口１３，１４の扉２３〜２６を開放した状態で、コンテナ本体１０内に袋体１５を搬入し、その係止ロープ４７をそれぞれコンテナ本体１０の各フック２８に係止する。
また、吐出部１９の開閉紐４２を締め付けて吐出口１７を閉塞しておき、充填部１８を貨物投入口１１に挿通してその開閉紐４１を解いて充填口１６を開放しておく。なお、貨物排出口１２の扉２２は閉じておく。
【００２９】
袋体１５をコンテナ本体１０に固定した後、各積み卸し口１３，１４の中央にベルト５１を装着し、バックル５３の調整によりベルト５１を緊張した状態に張る。続いて、積み卸し口１３，１４の扉２３〜２６を閉じて、貨物投入口１１より引き出された充填口１６から貨物を注入する。この際、充填口１６から袋体１５内に空気を注入して膨らませた後に貨物を充填してもよい。
貨物を袋体１５の上部まで充填したら、充填部１８の開閉紐４１を締めて充填口１６を閉塞し、充填部１８を貨物投入口１１からコンテナ本体１０内に押し込み、貨物投入口１１の扉２１を閉めてから、輸送或いは保管する。
【００３０】
この輸送或いは保管時において、貨物の点検等のために、積み卸し口１３，１４の扉２３〜２６を開く必要がある。
このような場合でも、図４に示すように、各積み卸し口１３，１４の中央にベルト５１が緊張した状態で張られているから、袋体１５が積み卸し口１３，１４から外側へ膨出するのを規制できる。従って、荷崩れを防止できるとともに、袋体１５の破損も回避できる。
【００３１】
また、貨物を輸送コンテナ１から卸す場合、貨物排出口１２の扉２２を開けて吐出部１９を貨物排出口１２から引き出し、開閉紐４２を弛めて吐出口１７から袋体１５内の貨物を排出する。
例えば、図５に示すように、コンテナ本体１０の貨物排出口１２に貨物搬出用アタッチメント７１を取り付けるとともに、コンテナ本体１０の貨物排出口１２側とは反対側を持ち上げて、例えば、輸送してきたトラックの荷台８１を傾斜させ、コンテナ本体１０を貨物排出口１２が下方になるように傾けた状態で貨物を排出する。この際、袋体１５の袴部６４を貨物搬出用アタッチメント７１の排出口７１Ａから外に出しておくと、コンテナ本体１０の床面１０Ｂの塵やゴミが貨物搬出用アタッチメント７１に入るのを防ぐことができる。
【００３２】
コンテナ本体１０を貨物排出口１２が下方になるように傾けると、吐出口１７の底面は袋体１５の底面１５Ｂと面一であるため、その境界部分に貨物が溜まることなく排出される。また、袋体１５は、係止ロープ４７を介してコンテナ本体１０の各部に固定されているため、コンテナ本体１０を傾けても袋体１５はそのままの姿勢でコンテナ本体１０からずれることなく保持される。このため、袋体１５にはほとんど皺が発生しないから、皺による貨物の滞留を防止できる。
【００３３】
一方、各種荷姿のバラ荷等の定形性を有する貨物を輸送コンテナ１に積み卸しする場合には、コンテナ本体１０の積み卸し口１３，１４から行う。この際、ベルト５１をコンテナ本体１０から取り外しておけば、貨物の積み込み時の支障となることがない。また、貨物のコンテナ本体１０内における配置に応じて積み卸し口１３，１４を選択して貨物の搬入および搬出を行う。なお、定形性を有する貨物の積み卸しにはフォークリフトを用いてもよい。
【００３４】
このような本実施形態によれば、以下のような効果がある。
すなわち、積み卸し口１３，１４には扉２３〜２６が開閉可能に設けられているとともに、袋体１５が積み卸し口１３，１４から外へ膨出するのを規制するベルト５１が着脱可能に設けられているから、ベルト５１をコンテナ本体１０から取り外しておけば、貨物の積み込み時の支障となることがなく、貨物の積み込み後にベルト５１をコンテナ本体１０に装着しておけば、輸送コンテナを搬送後に積み卸し口１３，１４の扉２３〜２６をあけても、袋体１５が積み卸し口１３，１４から外側へ膨出するのをベルト５１によって規制できるから、荷崩れを防止できるとともに、袋体１５の破損も回避できる。
【００３５】
また、積み卸し口１３，１４はコンテナ本体１０の側面の略全面に亘って設けられているから、貨物のコンテナ本体１０内での移動距離を一層短くできるので、貨物の積み卸し作業を一層容易化できる。また、積み卸し口１３，１４を大きく形成した場合には、形状の複雑な貨物や大型の貨物でも簡単に積み卸しできるうえに、フォークリフトによる荷役を容易化できる。
【００３６】
また、通常、袋体１５の内部に樹脂ペレット等のバルク荷や粉粒体等の貨物を充填すると、袋体１５の上部が崩れやすいが、コンテナ本体１０の天井面１０Ａと床面１０Ｂとの間にベルト５１が跨って設けられているから、この荷崩れを効果的に規制できる。しかも、ベルト５１は、コンテナ本体１０の長手方向に間隔を隔てて複数本設けられているから、ベルト５１の間隔を調整することにより、ベルト５１の間からの膨出も効果的に規制できる。
【００３７】
また、ベルト５１は、積み卸し口１３，１４において、コンテナ本体１０の天井面１０Ａと床面１０Ｂとの間に着脱可能に装着された帯状部材５２によって構成されているから、比較的安価に構成できるとともに、袋体１５とは帯状の面で接するから、袋体１５に傷をつけることが少ない。
【００３８】
また、ベルト５１は、長さ調整可能で、かつ、上下端がコンテナ本体１０の天井面１０Ａと床面１０Ｂに設けられた係止リング５５にフック５４を介して着脱可能に装着されているから、ベルト５１の緊張度合いを調整することができるとともに、ベルト５１の装着、取り外しをワンタッチで簡易に行うことができるから、コンテナへの荷積み作業が荷下ろし作業を迅速に行うことができる。
【００３９】
なお、本発明は前記実施形態に限定されるものではなく、本発明の目的を達成できる他の構成等を含み、以下に示すような変形なども本発明に含まれる。
すなわち、前記実施形態では、規制部材としてベルト５１を用いたが、これに限られない。例えば、１本の棒状部材をコンテナ本体１０に対して着脱可能に取り付けるようにしてもよく、あるいは、梯子状の部材をコンテナ本体１０に対して着脱可能に取り付けるようにしてもよい。
【００４０】
また、規制部材の取り付け方も、上記実施形態のように、コンテナ本体１０の天井面１０Ａと床面１０Ｂとの間に掛け渡す構造に限らず、水平方向に掛け渡してもよく、あるいは、水平および垂直に掛け渡してもよい。
また、規制部材をコンテナ本体１０に対して着脱可能とする手段としては、上記実施形態の構造に限らす、他の構造でもよい。
【００４１】
また、前記実施形態では、コンテナ本体１０の長手方向に沿った側面の略全面に亘って積み卸し口１３，１４を設けたが、例えば、図６に示すように、コンテナ本体１０の長手方向に沿った側面の一部に積み卸し口１１３、その積み卸し口を開閉する扉１２３を設けるようにしてもよい。このようにすれば、より安価に構成できる。
【００４２】
その際、図７に示すように、扉１２３を開放したときに、その扉１２３と貨物排出口１２に設けられた扉２２とをチェーン１２４などで連結できるようにすれば、風などで開放された扉１２３が強く閉まるような不具合も回避できる。
【００４３】
【発明の効果】
以上に述べたように、本発明によれば、袋体に樹脂ペレット等のバルク荷や粉粒体等の貨物が充填された状態において、積み卸し口の扉をあけても、袋体が積み卸し口から外側へ膨出するのを規制して荷崩れを防止できるとともに、袋体の破損も回避できる。
【図面の簡単な説明】
【図１】本発明の一実施形態を示す斜視図。
【図２】前記実施形態の輸送コンテナを示す断面図。
【図３】前記実施形態の袋体を示す斜視図。
【図４】前記実施形態の輸送コンテナにおいて、扉をあけた状態を示す斜視図。
【図５】前記実施形態の輸送コンテナから貨物を排出する状態を示す図。
【図６】本発明の他の実施形態の輸送コンテナを示す斜視図。
【図７】図６に示す実施形態の輸送コンテナの扉ロック機構を示す図。
【符号の説明】
１  輸送コンテナ
１０  コンテナ本体
１０Ａ  天井面
１０Ｂ  床面
１１  貨物投入口
１２  貨物排出口
１３，１４  積み卸し口
１５  袋体
２３〜２６  扉
５１  ベルト（規制部材）
５２  帯状部材
５３  バックル
５４  フック
【図１】
0004536860.tif 000002
【図２】
0004536860.tif 000003
【図３】
0004536860.tif 000004
【図４】
0004536860.tif 000005
【図５】
0004536860.tif 000006
【図６】
0004536860.tif 000007
【図７】
0004536860.tif 000008